(57)【要約】【課題】狭い居室等を防護領域として設置される場合でも効率よく消火をすることができる消火設備を提供する。【解決手段】  火災検出手段２ａとスプリンクラヘッド３ａとの組みにおいて、火災検出手段２ａは、防護領域１０の上部の位置であって、防護領域を区画する壁のうち対向する壁の一方の壁１０ａ側の位置に設けられ、その一方の壁１０ａ側の領域の火災を検出するものであり、スプリンクラヘッド３ａは、防護領域の上部の位置であって、対向する壁の他方の壁１０ｂ側の位置に設けられ、その他方の壁１０ｂ側から反対側の火災検出手段２ａが火災を検出する壁１０ａ側の領域に消火水Ｗを放出するものであることを特徴とする。【選択図】図１
2015073769.tif 000002
【特許請求の範囲】
【請求項１】
防護領域で発生する火災を検出する火災検出手段と、その火災検出手段が火災を検出した際に防護領域に消火水を圧力によって放出するスプリンクラヘッドとの組みを少なくとも１組み備えた消火設備であって、
前記火災検出手段と前記スプリンクラヘッドとの組みにおいて、前記火災検出手段は、前記防護領域の上部の位置であって、前記防護領域を区画する壁のうち対向する壁の一方の壁側の位置に設けられ、その一方の壁側の領域の火災を検出するものであり、前記スプリンクラヘッドは、前記防護領域の上部の位置であって、前記対向する壁の他方の壁側の位置に設けられ、その他方の壁側から反対側の前記火災検出手段が火災を検出する壁側の領域に消火水を放出するものであることを特徴とする消火設備。
【請求項２】
前記火災検出手段と前記スプリンクラヘッドとの組みを複数組み備えていると共に、前記防護領域を囲むように前記防護領域を区画する壁に沿って上部に設けられた複数系統の配管であって、前記スプリンクラヘッドが各組みごとに接続され、前記スプリンクラヘッドに各組みごとに消火水を供給するように系統分けされた複数系統の配管を備えていることを特徴とする請求項１に記載の消火設備。
【請求項３】
前記火災検出手段と前記スプリンクラヘッドとの組みにおいて、前記火災検出手段は、防護領域を区画する壁のうち１面の壁ごとに少なくとも１個設けられるものであり、前記スプリンクラヘッドは、前記火災検出手段が設けられる前記１面の壁に対向する１面の壁ごとに少なくとも１個設けられるものであることを特徴とする請求項１又は２に記載の消火設備。
【請求項４】
前記火災検出手段と前記スプリンクラヘッドとの組みにおいて、前記火災検出手段は、防護領域を区画する壁のうち連続する２面の壁ごとに少なくとも１個設けられるものであり、前記スプリンクラヘッドは、前記火災検出手段が設けられる２面の壁にそれぞれ対向する２面の壁の１面の壁ごとに少なくとも１個設けられるものであることを特徴とする請求項１又は２に記載の消火設備。
【請求項５】
前記火災検出手段と前記スプリンクラヘッドとの組みにおいて、前記スプリンクラヘッドは、防護領域の反対側の壁に向けて消火水を放出する第１のスプリンクラヘッドと、防護領域の床に向けて消火水を放出する第２のスプリンクラヘッドとを有するものであることを特徴とする請求項１乃至４の何れかに記載の消火設備。
【発明の詳細な説明】
【技術分野】
【０００１】
この発明は、防護領域内で発生した火災を消火する消火設備に関する。
【背景技術】
【０００２】
居室等の壁面に囲まれた室内を消火する場合、天井面に１個以上のスプリンクラヘッドを設置し、スプリンクラヘッドから自動又は手動で消火水を放出することによりその消火が行われている。しかしながら、天井面には電灯や換気口等が設けられているため、スプリンクラヘッドを最適な位置に設置するのが困難となる場合がある。
【０００３】
又、スプリンクラヘッドによる消火設備の場合、建物を建てる際に天井裏等に配管を敷設して設置するのが通常であり、既設の建物に後から設置するとなると大規模な工事が必要となる。
【０００４】
そこで、防護領域に容易に設置することができるパッケージ型の消火設備が提案されている（例えば、特許文献１参照。）。
【先行技術文献】
【特許文献】
【０００５】
【特許文献１】特開２００７−３１９５１３号公報
【発明の概要】
【発明が解決しようとする課題】
【０００６】
パッケージ型の消火設備は、前記のように防護領域に容易に設置することができるという利点を有するものであるが、狭い居室等を防護領域として設置される場合、作動時に火源に近い位置から消火水を散水することになるため、防護領域内に置かれている家具等が散水障害となって効率よく消火をすることができないことがあるという問題があった。
【０００７】
この発明は、前記の事情に鑑み、狭い居室等を防護領域として設置される場合でも効率よく消火をすることができる消火設備を提供することを目的とする。
【課題を解決するための手段】
【０００８】
この発明は、防護領域で発生する火災を検出する火災検出手段と、その火災検出手段が火災を検出した際に防護領域に消火水を圧力によって放出するスプリンクラヘッドとの組みを少なくとも１組み備えた消火設備であって、前記火災検出手段と前記スプリンクラヘッドとの組みにおいて、前記火災検出手段は、前記防護領域の上部の位置であって、前記防護領域を区画する壁のうち対向する壁の一方の壁側の位置に設けられ、その一方の壁側の領域の火災を検出するものであり、前記スプリンクラヘッドは、前記防護領域の上部の位置であって、前記対向する壁の他方の壁側の位置に設けられ、その他方の壁側から反対側の前記火災検出手段が火災を検出する壁側の領域に消火水を放出するものであることを特徴とする消火設備である。
【０００９】
又、この発明は、前記火災検出手段と前記スプリンクラヘッドとの組みを複数組み備えていると共に、前記防護領域を囲むように前記防護領域を区画する壁に沿って上部に設けられた複数系統の配管であって、前記スプリンクラヘッドが各組みごとに接続され、前記スプリンクラヘッドに各組みごとに消火水を供給するように系統分けされた複数系統の配管を備えていることを特徴とする消火設備である。
【００１０】
又、この発明は、前記火災検出手段と前記スプリンクラヘッドとの組みにおいて、前記火災検出手段は、防護領域を区画する壁のうち１面の壁ごとに少なくとも１個設けられるものであり、前記スプリンクラヘッドは、前記火災検出手段が設けられる前記１面の壁に対向する１面の壁ごとに少なくとも１個設けられるものであることを特徴とする消火設備である。
【００１１】
又、この発明は、前記火災検出手段と前記スプリンクラヘッドとの組みにおいて、前記火災検出手段は、防護領域を区画する壁のうち連続する２面の壁ごとに少なくとも１個設けられるものであり、前記スプリンクラヘッドは、前記火災検出手段が設けられる２面の壁にそれぞれ対向する２面の壁の１面の壁ごとに少なくとも１個設けられるものであることを特徴とする消火設備。
【００１２】
又、この発明は、前記火災検出手段と前記スプリンクラヘッドとの組みにおいて、前記スプリンクラヘッドは、防護領域の反対側の壁に向けて消火水を放出する第１のスプリンクラヘッドと、防護領域の床に向けて消火水を放出する第２のスプリンクラヘッドとを有するものであることを特徴とする消火設備である。
【発明の効果】
【００１３】
この発明においては、火災検出手段によって防護領域における対向する壁の一方の壁側の領域内の火災が検出されると、その火災検出手段と組みのスプリンクラヘッドによって火災が検出された領域に対して反対側の他方の壁側から消火水が放出される。これにより、火災が検出された領域に対して離れた位置から消火水を散水することができ、防護領域が狭い居室等であり、近い位置から消火水を散水していたのでは家具等が散水障害となって消火水を直接的に散水するのが困難な位置に火源がある場合でも、そのような散水障害なしに火源に対して直接的に消火水を散水することができる。例えば、壁に沿って置かれている本棚の内部に火源がある場合でも、本棚の棚板等による散水障害なしに内部にある火源に対して直接的に消火水を散水することができる。
【００１４】
従って、この発明によれば、狭い居室等を防護領域として設置される場合でも効率よく消火をすることができる消火設備を提供することができる。
【図面の簡単な説明】
【００１５】
【図１】この発明の消火設備の一例（第１の実施形態）の概要を示したものであり、その配置構造を防護領域である居室と共に側面視で示した図である。
【図２】同上を示したものであり、その配置構造を防護領域である居室と共に平面視で示した図である。
【図３】この発明の消火設備の他の一例（第２の実施形態）の概要を示したものであり、その配置構造を防護領域である居室と共に平面視で示した図である。
【発明を実施するための形態】
【００１６】
以下、この発明の消火設備の実施形態をパッケージ型の消火設備に適用する場合を例に図面に基づいて説明する。
【００１７】
先ず、第１の実施形態の消火設備１−１を図１及び図２に基づいて説明する。
【００１８】
消火設備１−１は、パッケージ型の消火設備であり、火災により生じる熱、煙等の燃焼生成物を感知し、自動的に消火水（その他の消火剤としてもよい。）を圧力によって放射して消火を行う固定の設備である。
【００１９】
パッケージ型である消火設備１−１は、熱或いは煙等を感知して火災を検出する火災感知器と、火災感知器が火災を検出した際に消火水を放出するスプリンクラヘッドとを備えているが、本実施形態においては、それらが４組に組み分けされると共に４つに受け持ち範囲も分けられて防護領域である居室１０に配置されて設けられている。
【００２０】
具体的には、消火設備１−１は、本実施形態においては、図１及び図２に示したように、火災感知器２ａ、２ｂ、２ｃ、２ｄと、それぞれ複数の一群のスプリンクラヘッド３ａ、３ｂ、３ｃ、３ｄとを備えているが、火災感知器２ａと、その火災感知器２ａが火災を検出した際に消火水を放出する一群のスプリンクラヘッド３ａとの組みと、火災感知器２ｂと、その火災感知器２ｂが火災を検出した際に消火水を放出する一群のスプリンクラヘッド３ｂとの組みと、火災感知器２ｃと、その火災感知器２ｃが火災を検出した際に消火水を放出する一群のスプリンクラヘッド３ｃとの組みと、火災感知器２ｄと、その火災感知器２ｄが火災を検出した際に消火水を放出する一群のスプリンクラヘッド３ｄとの組みとの４つの組みに組み分けされると共に４つの受け持ち範囲に分けられており、それらにより居室１０の全域を防護できるように配置されて設けられいる。
【００２１】
この消火設備１−１において、前記の各組みの配置及び受け持ち範囲は防護領域である居室１０を区画している壁１０ａ、１０ｂ、１０ｃ、１０ｄとの関係において決められたものとなっている。
【００２２】
即ち、火災感知器２ａが居室１０の上部の位置であって、対向する一対の壁１０ａ、１０ｂにおける一方の壁１０ａに近い位置（例えば、図１に示したように天井面１０ｅの壁１０ａに近い位置。）に設けられ、その壁１０ａ側の領域の火災を検出するものとなっていると共に、その火災感知器２ａと組みの一群のスプリンクラヘッド３ａが居室１０の上部の位置であって、対向する一対の壁１０ａ、１０ｂにおける他方の壁１０ｂに近い位置（例えば、図１に示したように壁１０ｂの上部の位置。）に設けられ、その壁１０ｂ側から火災感知器２ａが火災を検出する反対側の壁１０ａ側の領域に消火水を放出するものとなっており、それら火災感知器２ａと一群のスプリンクラヘッド３ａとの組みが居室１０の壁１０ａ側の領域（例えばその壁１０ａの壁面を含む床面１０ｆの略半分の領域。）を受け持ち範囲として防護するものとなっている。又、火災感知器２ｂが居室１０の上部の位置であって、対向する一対の壁１０ａ、１０ｂにおける一方の壁１０ｂに近い位置（例えば、図１に示したように天井面１０ｅの壁１０ｂに近い位置。）に設けられ、その壁１０ｂ側の領域の火災を検出するものとなっているとと共に、その火災感知器２ｂと組みの一群のスプリンクラヘッド３ｂが居室１０の上部の位置であって、対向する一対の壁１０ａ、１０ｂにおける他方の壁１０ａに近い位置（例えば、図１に示しように壁１０ａの上部の位置。）に設けられ、その壁１０ａ側から火災感知器２ｂが火災を検出する反対側の壁１０ｂ側の領域に消火水を放出するものとなっており、それら火災感知器２ｂと一群のスプリンクラヘッド３ｂとの組みが居室１０の壁１０ｂ側の領域（例えばその壁１０ｂを含む床面１０ｆの略半分の領域。）を受け持ち範囲として防護するものとなっている。又、火災感知器２ｃが居室１０の上部の位置であって、対向する一対の壁１０ｃ、１０ｄにおける一方の壁１０ｃに近い位置（例えば、天井面１０ｅの壁１０ｃに近い位置。）に設けられ、その壁１０ｃ側の領域の火災を検出するものとなっていると共に、その火災感知器２ｃと組みとの一群のスプリンクラヘッド３ｃが居室１０の上部の位置であって、対向する一対の壁１０ｃ、１０ｄにおける他方の壁１０ｄに近い位置（例えば、壁１０ｄの上部の位置。）に設けられ、その壁１０ｄ側から火災感知器２ｃが火災を検出する反対側の壁１０ｃ側の領域に消火水を放出するものとなっており、それら火災感知器２ｃと一群のスプリンクラヘッド３ｃとの組みが居室１０の壁１０ｃ側の領域（例えばその壁１０ｃの壁面を含む床面１０ｆの略半分の領域。）を受け持ち範囲として防護するものとなっている。又、火災感知器２ｄが居室１０の上部の位置であって、対向する壁１０ｃ、１０ｄにおける一方の壁１０ｄに近い位置（例えば、天井面１０ｅの壁１０ｄに近い位置。）に設けられ、その壁１０ｄ側の領域の火災を検出するものとなっていると共に、その火災感知器２ｄと組みの一群のスプリンクラヘッド３ｄが居室１０の上部の位置であって、対向する一対の壁１０ｃ、１０ｄにおける他方の壁１０ｃに近い位置（例えば、壁１０ｃの上部の位置。）に設けられ、その壁１０ｃ側から火災感知器２ｄが火災を検出する反対側の壁１０ｄ側の領域に消火水を放出するものとなっており、それら火災感知器２ｄと一群のスプリンクラヘッド３ｄとの組みが居室１０の壁１０ｄ側の領域（例えばその壁１０ｄを含む床面１０ｆの略半分の領域。）を受け持ち範囲として防護するものとなっている。
【００２３】
消火設備１−１は、火災感知器２ａ乃至２ｄとスプリンクラヘッド３ａ乃至３ｄとの組みが前記の通り組み分けされ、配置されたものとなっているが、スプリンクラヘッド３ａ乃至３ｄに消火水を供給する配管として前記の組み分け及び配置に対応して系統分けされ、配置された配管４ａ乃至４ｄを更に備えている。
【００２４】
本実施形態において、配管４ａ乃至４ｄは、全体として居室１０の天井面１０ｅの周囲を囲むように壁１０ａ乃至１０ｄのそれぞれの幅方向に沿って上部に設けられているが、配管の系統としては４系統に系統分けされたものとなっており、系統ごとにスプリンクラヘッド３ａ乃至３ｄのそれぞれが接続されたものとなっている。具体的には、配管４ａが、一群のスプリンクラヘッド３ａに消火水を供給する１系統の配管として、壁１０ｂの幅方向に沿って上部に位置している部分にそれら一群の複数のスプリンクラヘッド３ａが接続されて設けられたものとなっており、配管４ｂが、一群のスプリンクラヘッド３ｂに消火水を供給する１系統の配管として、壁１０ａの幅方向に沿って上部に位置している部分にそれら一群の複数のスプリンクラヘッド３ｂが接続されて設けられたものとなっており、又、配管４ｃが、一群のスプリンクラヘッド３ｃに消火水を供給する１系統の配管として、壁１０ｄの幅方向に沿って上部に位置している部分にそれら一群の複数のスプリンクラヘッド３ｃが接続されて設けられたものとなっており、又、配管４ｄが、一群のスプリンクラヘッド３ｄに消火水を供給する１系統の配管として、壁１０ｃの幅方向に沿って上部に位置している部分にそれら一群の複数のスプリンクラヘッド３ｄが接続されて設けられたものとなっている。
【００２５】
ここで、パッケージ型である消火設備１−１は、図示は省略するが、別途本体ユニットを備えており、その内部に火災感知器３ａ乃至３ｄから火災信号を受信する受信盤、配管４ａ乃至４ｄに消火水を供給する消火水貯蔵容器、消火水貯蔵容器に圧力を供給する加圧用ガス容器（加圧用ガス容器を別途備えるのに代えて、消火水貯蔵容器を蓄圧式のものとしてもよい。）等を更に備えている。前記の配管４ａ乃至４ｄには本体ユニット内の消火水貯蔵容器から消火水が供給されることになるが、図２に示したように配管４ａ乃至４ｄのそれぞれの基端には選択弁５ａ乃至５ｄがそれぞれ設けられており、配管４ａ乃至４ｄのそれぞれに選択的に消火水を供給することができるようになっている。尚、本実施形態においては、配管４ａ乃至４ｄのそれぞれの選択弁５ａ乃至５ｄが一箇所に集中するように配置されたものとなっている。
【００２６】
消火設備１−１は、火災感知器２ａ乃至２ｄとスプリンクラヘッド３ａ乃至３ｄとが前記の通り組み分けされ、配置されているものであるが、例えば、火災感知器２ａと一群のスプリンクラヘッド３ａとの組みの動作について述べれば、図１に示したように、火災感知器２ａにより居室１０中、壁１０ａ側の受け持ち範囲内で発生した火災Ｆが検出されると、その火災Ｆが検出された壁１０ａ側の領域に向けて反対側の壁１０ｂ側に設けられている一群のスプリンクラヘッド３ａにより消火水Ｗが放出されることとなり、火災Ｆの火源に対して側方の離れた位置から消火水Ｗが散水されることとなる。これにより、例えば、同図に示したように、居室１０のような防護領域には壁１０ａ、１０ｂの近くに本棚１１や椅子１２が置かれていることが多いが、火災Ｆの火源がその本棚１１の内部にあり、近い位置から消火水を散水していたのでは本棚１１の棚板等が散水障害となって火源に対して直接的に消火水を散水するのが困難な場合でも、そのような散水障害なしに火源に対して直接的に消火水Ｗを散水することができることとなる。
【００２７】
つまり、消火設備１−１は、火災感知器２ａ乃至２ｄとスプリンクラヘッド３ａ乃至３ｄとが前記の通り組み分けされ、配置されていることにより、居室１０のように狭い防護領域に設けられている場合でも効率よく消火をすることができるものとなっている。
【００２８】
更に、本実施形態の消火設備１−１について説明する。
【００２９】
消火設備１−１において、スプリンクラヘッド３ａ乃至３ｄの各ヘッドは、複数のヘッドからなるものとすることができ、ヘッドごとに放出方向を異なるものとすることができる。例えば、図１に示したスプリンクラヘッド３ａ、３ｂのように、主として居室１０の反対側の壁１０ａの壁面に向けて消火水を放出する上方のヘッドと、主として居室１０の床面１０ｆに向けて消火水を放出する下方のヘッドとの２つのヘッドからなるものとすることができる。
【００３０】
スプリンクラヘッド３ａ乃至３ｄの各ヘッドの散水範囲は、居室１０の全域を防護できるように設定された各組みの受け持ち範囲に対応して設定され、例えば、横方向については各組みのヘッド全体によって反対側の壁の全幅に至るように設定されており、縦方向については各組みのヘッドのそれぞれが反対側の壁の半分（壁の高さ方向中間）から床面１０ｆの半分に至るように設定することができる。前記のスプリンクラヘッド３ａ、３ｂのように上下に放出方向を異にする複数のヘッドからなるものとすることで縦方向の散水範囲を容易に所望の通りに設定することができる。
【００３１】
次に、第２の実施形態の消火設備１−２を図３に基づいて説明する。
【００３２】
本実施形態の消火設備１−２は、火災感知器とスプリンクラヘッドとの組み分け及び配管の系統分けを第１の実施形態の消火設備１−１とは異なるものとしたものであり、即ち、火災感知器とスプリンクラヘッドとの組み分けを２組とすると共に、配管の系統分けを２系統とし、それらを居室１０全域を防護することができるように配置したものである。尚、その他構成は第１の実施形態の消火設備１−１のものと同様である。
【００３３】
具体的には、図３に示したように、消火設備１−２は、居室１０を防護するものとして、火災感知器２ａ、２ｂと、複数の一群のスプリンクラヘッド３ａ、３ｂと、配管４ａ、４ｂとを備えているが、火災感知器２ａと、その火災感知器２ａが火災を検出した際に消火水を放出する一群のスプリンクラヘッド３ａとの組みと、火災感知器２ｂと、その火災感知器２ｂが火災を検出した際に消火水を放出する一群のスプリンクラヘッド３ｂとの組みとの２組み組み分けされたものとなっており、又、一群のスプリンクラヘッド３ａに消火水を供給する配管４ａと、一群のスプリンクラヘッド３ｂに消火水を供給する配管４ｄとの２系統に系統分けされたものとなっている。
【００３４】
そして、各組み及び各系統の配置は本実施形態においても居室１０の壁１０ａ乃至１０ｄとの関係において決められているが、２組み、２系統によって居室１０の全域を防護することができるようになっている。
【００３５】
即ち、火災感知器２ａが居室１０の上部の位置であって、居室１０の連続する２面の壁１０ａ、１０ｄとの間の角隅部に近い位置（例えば、居室１０の天井面のその角隅部に近い位置。）に設けられ、壁１０ａ、１０ｄ側の領域で発生する火災を検出するものとなっていると共に、その火災感知器２ａと組みの一群のスプリンクラヘッド３ａが居室１０の上部の位置であって、２面の壁１０ａ、１０ｄにそれぞれ対向する反対側の連続する２面の壁１０ｂ、１０ｃのそれぞれの近くの位置（例えば、壁１０ｂ、１０ｃのそれぞれの上部の位置。）に設けられ、その壁１０ｂ、１０ｃの側からそれぞれに対向する反対側の火災感知器２ａが火災を検出する壁１０ａ、１０ｄ側の領域に消火水を放出するものとなっており、それら火災感知器２ａと一群のスプリンクラヘッド３ａとの組みが居室１０の壁１０ａ側の領域と壁１０ｄ側の領域の両方を受け持ち範囲として防護するものとなっている。又、火災感知器２ｂが居室１０の上部の位置であって、居室１０の前記の火災感知器２ａが設けられている角隅部とは対角側のもう一方の連続する２面の壁１０ｂ、１０ｃとの間の角隅部に近い位置（例えば、居室１０の天井面のその角隅部に近い位置。）に設けられ、壁１０ｂ、１０ｃ側の領域で発生する火災を検出するものとなっていると共に、その火災感知器２ｂと組みの一群のスプリンクラヘッド３ｂが居室１０の上部の位置であって、２面の壁１０ｂ、１０ｃにそれぞれ対向する反対側の連続する２面の壁１０ａ、１０ｄのそれぞれの近くの位置（例えば、壁１０ａ、１０ｄのそれぞれの上部の位置。）に設けられ、その壁１０ａ、１０ｄの側からそれぞれに対向する反対側の火災感知器２ａが火災を検出する壁１０ｂ、１０ｃ側の領域に消火水を放出するものとなっており、それら火災感知器２ｂと一群のスプリンクラヘッド３ｂとの組み合わせが居室１０の壁１０ｂ側の領域と壁１０ｃ側の領域の両方を受け持ち範囲として防護するものとなっている。又、配管４ａ、４ｂについては、それらも全体として居室１０の天井面１０ｅの周囲を囲むように壁１０ａ乃至１０ｄのそれぞれの幅方向に沿って上部に設けられているが、壁１０ａ乃至１０ｄの連続する２面の壁に対して１系統ずつの２系統に系統分けされて設けられている。具体的には、配管４ａが一群のスプリンクラヘッド３ａに対応するものとして、連続する２面の壁１０ｂ、１０ｃに沿って連続する１系統の配管として設けられ、それに壁ごとに複数のスプリンクラヘッド３ａが接続されて設けられたものとなっており、配管４ｂが一群のスプリンクラヘッド３ｂに対応するものとして、連続する２面の壁１０ａ、１０ｄに沿って連続する１系統の配管として設けられ、それに壁ごとに複数のスプリンクラヘッド３ｂが接続されて設けられたものとなっている。尚、本実施形態においても、配管４ａ、４ｂのそれぞれに選択的に消火水を供給することができるように各配管の基端に選択弁５ａ、５ｂが設けられており、それら選択弁５ａ、５ｂが一箇所に集中するように配置されたものとなっている。
【００３６】
本実施形態の消火設備１−２は、火災感知器２ａ、２ｂとスプリンクラヘッド３ａ、３ｂとの組み分けを２組とすると共に、配管４ａ、４ｂの系統分けを２系統とし、受け持ち範囲を２つに分けて居室１０の全域を防護するものであるが、火災感知器２ａ、２ｂとスプリンクラヘッド３ａ、３ｂとが前記の通り組み分けされて配置されていることにより、第１の実施形態の消火設備１−１と同様、火災の火源に対して側方の離れた位置から消火水を散水することができるものとなっており、火災の火源に対して直接的に消火水を散水することができるものとなっている。
【００３７】
つまり、本実施形態の消火設備１−２も、火災感知器２ａ、２ｂとスプリンクラヘッド３ａ、３ｂとが前記の通り組み分けされて配置されていることにより、居室１０のように狭い防護領域に設けられている場合でも効率よく消火をすることができるものとなっている。
【００３８】
以上、この発明の実施形態について説明したが、この発明は上記の実施形態に限定されるものではない。
【００３９】
１つの防護領域に設ける火災感知器とスプリンクラヘッドとの組みの数については、防護領域の形及び広さに応じて適宜変更することができ、例えば、前記のように２組又は４組とするのに代えて、１組としてもよいし、３組としてもよい。更には５組以上としてもよい。又、火災感知器とスプリンクラヘッドとの各組みにおけるそれぞれの数も、防護領域の形及び広さに応じて適宜変更することができ、例えば、各組みにおいて火災感知器を１つに代えて２つ等の複数としてもよいし、スプリンクラヘッドを複数に代えて１つとしてもよい。
【００４０】
又、火災感知器とスプリンクラヘッドとを近接して配置した組みと組み合わせたものとしてもよく、例えば、前記の実施形態で示したように配置した火災感知器とスプリンクラヘッドとの組みに加えて、防護領域の天井の中央部に近接して配置した火災感知器とスプリンクラヘッドとの組みを更に設けたものとしてもよい。
【００４１】
尚、本願発明は、例えば大空間を有する防護領域を複数の領域に分割し、各領域を分割する境界面を壁面とし、その境界面へ向けて消火水を放出するようにスプリンクラヘッドを設けても良い。
【符号の説明】
【００４２】
１−１，１−２：消火設備  ２ａ〜２ｄ：火災感知器
３ａ〜３ｄ：スプリンクラヘッド  ４ａ〜４ｄ：配管  ５ａ〜５ｄ：選択弁
１０：居室  １０ａ乃至１０ｄ：壁  １０ｅ：天井面  １０ｆ：床面
１１：棚  １２：椅子
【図２】
2015073769.tif 000003
【図３】
2015073769.tif 000004
【図１】
2015073769.tif 000005